【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
多階層コンピューティング環境において選択された階層を監視するための装置であって、前記装置は、
前記多階層コンピューティング環境の前記選択された階層と関連付けられるコンテキストエージェントであって、前記コンテキストエージェントは、他のコンテキストエージェントと結び付けられ、前記他のコンテキストエージェントのそれぞれは、前記コンピューティング環境のそれぞれ階層と関連付けられる、そのようなコンテキストエージェントと、
動的階層拡張（ＤＴＥ）であって、前記動的階層拡張は、前記選択された階層を通過するリクエストトラフィックを少なくとも監視するため、前記コンテキストエージェント、及び前記選択された階層の少なくともリクエストエントリーポートと結び付けられ、前記監視されたリクエストトラフィックは、前記コンピューティング環境の隣り合った階層から前記リクエストエントリーポートで受信された少なくとも一つの開始リクエストを含み、前記動的階層拡張は、リクエスト情報を前記コンテキストエージェントに提供し、前記リクエスト情報は、前記監視されたリクエストトラフィックに含まれる各リクエストを少なくとも確認する、そのような動的階層拡張と
を含み、
前記コンテキストエージェントは、前記隣り合う階層と関連付けられた他のコンテキストエージェントからコンテキスト情報を受信し、前記受信されたコンテキスト情報は、前記少なくとも一つの開始リクエストのリクエストコンテキストと関連し、
前記少なくとも一つの開始リクエストのそれぞれのために、前記コンテキストエージェントは、それぞれ、前記コンテキスト情報を前記リクエスト情報と関連付ける
ことを特徴とする装置。
【請求項２】
前記動的階層拡張は、前記選択された階層の少なくともリクエストイグジットポートとさらに結び付けられ、前記監視されたリクエストトラフィックは、前記リクエストイグジットポートで受信された少なくとも一つの終了リクエストをさらに含み、前記選択された階層は、前記少なくとも一つの終了リクエストを前記コンピューティング環境の他の隣り合う階層に提供し、
前記コンテキストエージェントは、前記少なくとも一つの終了リクエストと前記少なくとも一つの開始リクエストとの間を関連付け、前記少なくとも一つの終了リクエストのリクエストコンテキストと関連するコンテキスト情報を、前記他の隣り合う階層と関連付けられたさらなるコンテキスト情報に送信する
請求項１に記載の装置。
【請求項３】
前記動的階層拡張は、前記選択された階層の階層コントロールポートとさらに結び付けられる
請求項１に記載の装置。
【請求項４】
前記コンテキストエージェントは、前記少なくとも一つの開始リクエストを実行する処理部の優先度レベルをさらに変更する
請求項３に記載の装置。
【請求項５】
前記コンテキストエージェントは、前記少なくとも一つの開始リクエストを実行する処理部の実行タイプをさらに変更する
請求項３に記載の装置。
【請求項６】
前記コンテキストエージェントは、前記リクエストエントリーポートでのキュー上の前記少なくとも一つの開始リクエストのオーダをさらに調整する
請求項１又は３に記載の装置。
【請求項７】
前記コンテキストエージェントは、前記少なくとも一つの開始リクエストを処理する計算リソースを割り付けるために前記選択された階層をさらに指示する
請求項１又は３に記載の装置。
【請求項８】
前記コンテキストエージェントは、前記少なくとも一つの開始リクエストを処理する計算リソースを否定するために前記選択された階層をさらに指示する
請求項１又は３に記載の装置。
【請求項９】
前記コンテキスト情報は、少なくとも、リクエストＩＤ、トランザクションＩＤ、リクエストクラス、コンテキスト関連データを含む
請求項１に記載の装置。
【請求項１０】
前記コンテキスト関連データは、前記少なくとも一つの開始リクエストの前記リクエストコンテキストの全部を含む
請求項９に記載の装置。
【請求項１１】
前記コンテキスト関連データは、前記少なくとも一つの開始リクエストの前記リクエストコンテキストの一部を含む
請求項９に記載の装置。
【請求項１２】
前記コンテキスト関連データは、前記少なくとも一つの開始リクエストの前記リクエストコンテキストへの表示を含む
請求項９に記載の装置。
【請求項１３】
前記コンテキストエージェントは、
エージェント通信インターフェイスであって、前記動的階層拡張及び前記コンテキストエージェント間のメッセージを中継するエージェント通信インターフェイスと、
エージェントメッセージモジュールであって、前記少なくとも一つの終了リクエストが前記他の隣り合う階層に送信される前記さらなるコンテキストエージェントを確認し、前記エージェントメッセージモジュールは、メッセージを用いて前記動的階層拡張とさらに通信する、そのようなエージェントメッセージモジュールと、
コンテキストテーブルマネージャであって、前記選択された階層上で動作する少なくとも一つの作業単位を、前記作業単位が割り付けられる前記少なくとも一つの開始リクエストの前記リクエストコンテキストと関連付ける、といった参照テーブルを維持し、前記コンテキストテーブルは、前記少なくとも一つの開始リクエストと関連付けられた情報をさらに保存し、前記コンテキストテーブルマネージャは、前記コンテキストテーブルに保存された情報に基づく少なくとも一つの開始リクエストをさらに確認する、そのようなコンテキストテーブルマネージャと
を含む請求項２に記載の装置。
【請求項１４】
前記コンテキストエージェントは、
分類マネージャであって、前記受信されたコンテキスト情報に基づく前記少なくとも一つの開始リクエストの分類を実行し、前記分類マネージャは、前記少なくとも一つの開始リクエストをトランザクションの一部としてさらに確認する、そのような分類マネージャ
をさらに含む請求項１３に記載の装置。
【請求項１５】
前記コンテキストエージェントは、
ポリシーマネージャであって、アクティブサービスクラスポリシーと、前記少なくとも一つの開始リクエストの前記分類とに基づく前記少なくとも一つの開始リクエストにサービスクラスポリシーを与えるポリシーマネージャ
をさらに含む請求項１３に記載の装置。
【請求項１６】
前記コンテキストエージェントは、
エージェントログイベントハンドラであって、イベント記録、内部追跡、メッセージ作成、前記コンテキストエージェント内の稼動不規則の検出、を実行するエージェントログイベントハンドラ
をさらに含む請求項１３に記載の装置。
【請求項１７】
前記コンテキストエージェントは、
エージェントアドミニストレータであって、情報を記録し、履歴データをコンテキストネットワーク管理サーバ（ＣＮＭＳ）に送信し、アクティブサービスクラスポリシー及び追加データを前記ＣＮＭＳから受信するエージェントアドミニストレータ
をさらに含む請求項１３に記載の装置。
【請求項１８】
前記動的階層拡張は、
動的階層拡張デーモンであって、前記少なくとも一つの開始リクエストが引き留められないレポートされたイベントと関連付けられた非同期処理を実行する動的階層拡張デーモンと、
動的階層拡張メッセージモジュールであって、メッセージを用いて前記コンテキストエージェントと通信する動的階層拡張メッセージモジュールと、
動的階層拡張通信インターフェイスであって、前記動的階層拡張及び前記コンテキストエージェント間のメッセージを中継する動的階層拡張通信インターフェイスと
を含む請求項３に記載の装置。
【請求項１９】
前記動的階層拡張は、
動的階層拡張アドミニストレータであって、前記動的階層拡張が、前記少なくとも一つの開始リクエストがどのように処理されるべきかに関するメッセージを受信することを可能とする動的階層拡張アドミニストレータ
をさらに含む請求項１８に記載の装置。
【請求項２０】
前記動的階層拡張は、
動的階層拡張ログイベントハンドラであって、前記動的階層拡張のオペレーションに関する追跡情報と、前記動的階層拡張によって起こされた警告とを記録する動的階層拡張ログイベントハンドラ
をさらに含む請求項１８に記載の装置。
【請求項２１】
前記コンテキストエージェントは、前記選択された階層として同じホストマシーンに存在する
請求項１に記載の装置。
【請求項２２】
前記動的階層拡張は、パフォーマンス、可用性、前記選択された階層からのエラーメタリックスを収集する
請求項３に記載の装置。
【請求項２３】
多階層コンピューティング環境において選択された階層を監視するための装置であって、前記装置は、
前記選択された階層と関連付けられるコンテキストエージェントであって、前記コンテキストエージェントは、少なくとも一つの他のコンテキストエージェントと結び付けられ、前記少なくとも一つの他のコンテキストエージェントのそれぞれは、前記コンピューティング環境のそれぞれ階層と関連付けられる、そのようなコンテキストエージェントと、
動的階層拡張（ＤＴＥ）であって、前記動的階層拡張は、前記コンテキストエージェント、及び前記選択された階層の少なくともリクエストエントリーポート及びリクエストイグジットポートと結び付けられ、前記動的階層拡張は、前記選択された階層を通過するリクエストトラフィックを少なくとも監視し、前記監視されたリクエストトラフィックは、前記リクエストエントリーポートで受信された少なくとも一つの開始リクエストと、前記リクエストイグジットポートでの少なくとも一つのそれぞれ終了リクエストとを含み、前記選択された階層は、前記少なくとも一つのそれぞれ終了リクエストを隣り合う階層に提供し、前記動的階層拡張は、前記少なくとも一つの開始リクエストのリクエストコンテキストを獲得し、前記動的階層拡張は、リクエスト情報及びコンテキスト情報を前記コンテキストエージェントに提供し、前記リクエスト情報は、前記監視されたリクエストトラフィックに含まれる各リクエストを少なくとも確認し、前記コンテキスト情報は、前記少なくとも一つの開始リクエストの前記獲得されたリクエストコンテキストと関連する、そのような動的階層拡張と
を備え、
前記コンテキストエージェントは、前記少なくとも一つの開始リクエストを前記少なくとも一つの終了リクエストと関連付け、
前記コンテキストエージェントは、前記少なくとも一つのそれぞれ終了リクエストのリクエストコンテキストと関連するコンテキスト情報を、前記隣り合う階層と関連付けられた他のコンテキストエージェントに提供する
ことを特徴とする装置。
【請求項２４】
前記少なくとも一つの開始リクエストは、ユーザアプリケーションから受信したユーザリクエストである
請求項２３に記載の装置。
【請求項２５】
前記コンテキスト情報は、少なくとも、リクエストＩＤ、トランザクションＩＤ、リクエストクラス、コンテキスト関連データを含む
請求項２３に記載の装置。
【請求項２６】
前記コンテキストエージェントは、前記少なくとも一つの開始リクエストを、前記コンテキスト情報に基づくリクエストクラスに分類する
請求項２３に記載の装置。
【請求項２７】
前記コンテキストエージェントは、階層仕様サービスクラスポリシーのセットを含み、前記階層仕様サービスクラスポリシーのそれぞれは、サービスクラスを前記選択された階層のためのリクエストクラスにマッピングし、
アクティブサービスクラスポリシーは、現在実施されているサービスクラスマッピングにリクエストクラスを含み、
前記コンテキストエージェントは、サービスクラスを、前記リクエストクラスに基づく前記少なくとも一つの開始リクエストと、前記階層仕様サービスクラスポリシーのセットにおける適切なアクティブサービスクラスポリシーとに与える
請求項２６に記載の装置。
【請求項２８】
前記コンテキストエージェントは、階層仕様サービスクラスポリシーのセットを含み、前記階層仕様サービスクラスポリシーのそれぞれは、サービスクラスを前記選択された階層のためのリクエストクラスにマッピングし、
アクティブサービスクラスポリシーは、現在実施されているサービスクラスマッピングにリクエストクラスを含み、
前記コンテキストエージェントは、サービスクラスを、前記リクエストクラスによって指定されたサービスクラスよりも異なる前記少なくとも一つの開始リクエストと、前記階層仕様サービスクラスポリシーのセットにおける適切なアクティブサービスクラスポリシーとに与える
請求項２６に記載の装置。
【請求項２９】
前記サービスクラスは、前記少なくとも一つの開始リクエストに割り付けられるべき優先度を含む
請求項２７又は２８に記載の装置。
【請求項３０】
前記サービスクラスは、前記少なくとも一つの開始リクエストに割り付けられるべき中央処理装置パーセンテージを含む
請求項２７又は２８に記載の装置。
【請求項３１】
前記サービスクラスは、前記少なくとも一つの開始リクエストに割り付けられるべきメモリを含む
請求項２７又は２８に記載の装置。
【請求項３２】
前記サービスクラスは、入出力装置を前記少なくとも一つの開始リクエストに割り付け且つアクセスする優先度を含む
請求項２７又は２８に記載の装置。
【請求項３３】
前記サービスクラスポリシーは、定期的に更新される
請求項２７又は２８に記載の装置。
【請求項３４】
前記サービスクラスポリシーは、前記多階層コンピューティング環境のユーザによって定義される
請求項２７又は２８に記載の装置。
【請求項３５】
前記コンテキストエージェントは、前記与えられたサービスクラスを前記リクエストコンテキストに加える
請求項２７又は２８に記載の装置。
【請求項３６】
前記動的階層拡張は、前記選択された階層の階層コントロールポートとさらに結び付けられる
請求項２３に記載の装置。
【請求項３７】
前記コンテキストエージェントは、前記少なくとも一つの開始リクエストを実行する処理部の優先度レベルをさらに変更する
請求項３６に記載の装置。
【請求項３８】
前記コンテキストエージェントは、前記少なくとも一つの開始リクエストを実行する処理部の実行タイプをさらに変更する
請求項３６に記載の装置。
【請求項３９】
前記コンテキストエージェントは、前記リクエストエントリーポートでのキュー上の前記少なくとも一つの開始リクエストのオーダをさらに調整する
請求項２３又は３６に記載の装置。
【請求項４０】
前記コンテキストエージェントは、前記少なくとも一つの開始リクエストを処理する計算リソースを割り付けるために前記選択された階層をさらに指示する
請求項２３又は３６に記載の装置。
【請求項４１】
前記コンテキストエージェントは、前記少なくとも一つの開始リクエストを処理する計算リソースを否定するために前記選択された階層をさらに指示する
請求項２３又は３６に記載の装置。
【請求項４２】
前記動的階層拡張は、前記監視されたリクエストトラフィックに含まれる各リクエストにトランザクションＩＤを与える
請求項２３に記載の装置。
【請求項４３】
前記動的階層拡張は、前記監視されたリクエストトラフィックに含まれる各リクエストのリクエストＩＤを得る
請求項２３に記載の装置。
【請求項４４】
前記コンテキストエージェントは、
エージェント通信インターフェイスであって、前記動的階層拡張及び前記コンテキストエージェント間のメッセージを中継するエージェント通信インターフェイスと、
エージェントメッセージモジュールであって、前記少なくとも一つの終了リクエストが前記他の隣り合う階層に送信される前記他のコンテキストエージェントを確認し、前記エージェントメッセージモジュールは、メッセージを用いて前記動的階層拡張とさらに通信する、そのようなエージェントメッセージモジュールと、
コンテキストテーブルマネージャであって、前記選択された階層上で動作する少なくとも一つの作業単位を、前記作業単位が割り付けられる前記少なくとも一つの開始リクエストの前記リクエストコンテキストと関連付ける、といった参照テーブルを維持し、前記参照テーブルは、コンテキストテーブルであり、前記コンテキストテーブルは、前記少なくとも一つの開始リクエストと関連付けられた情報をさらに保存し、前記コンテキストテーブルマネージャは、前記コンテキストテーブルに保存された情報に基づく少なくとも一つの開始リクエストをさらに確認する、そのようなコンテキストテーブルマネージャと
分類マネージャであって、前記受信されたコンテキスト情報に基づく前記少なくとも一つの開始リクエストの分類を実行し、前記分類マネージャは、前記少なくとも一つの開始リクエストをトランザクションの一部としてさらに確認する、そのような分類マネージャと、
ポリシーマネージャであって、アクティブサービスクラスポリシーと、前記少なくとも一つの開始リクエストの前記分類とに基づく前記少なくとも一つの開始リクエストにサービスクラスポリシーを与えるポリシーマネージャと
を含む請求項２３に記載の装置。
【請求項４５】
前記コンテキストエージェントは、
エージェントログイベントハンドラであって、イベント記録、内部追跡、メッセージ作成、前記コンテキストエージェント内の稼動不規則の検出、を実行するエージェントログイベントハンドラ
をさらに含む請求項４４に記載の装置。
【請求項４６】
前記コンテキストエージェントは、
エージェントアドミニストレータであって、情報を記録し、履歴データをコンテキストネットワーク管理サーバ（ＣＮＭＳ）に送信し、アクティブサービスクラスポリシー及び追加データを前記ＣＮＭＳから受信するエージェントアドミニストレータ
をさらに含む請求項４４に記載の装置。
【請求項４７】
前記動的階層拡張は、
動的階層拡張デーモンであって、前記少なくとも一つの開始リクエストが引き留められないレポートされたイベントと関連付けられた非同期処理を実行する動的階層拡張デーモンと、
動的階層拡張メッセージモジュールであって、メッセージを用いて前記コンテキストエージェントと通信する動的階層拡張メッセージモジュールと、
動的階層拡張通信インターフェイスであって、前記動的階層拡張及び前記コンテキストエージェント間のメッセージを中継する動的階層拡張通信インターフェイスと
を含む請求項３６に記載の装置。
【請求項４８】
前記動的階層拡張は、
動的階層拡張アドミニストレータであって、前記動的階層拡張が、前記少なくとも一つの開始リクエストがどのように処理されるべきかに関するメッセージを受信することを可能とする動的階層拡張アドミニストレータ
をさらに含む請求項４７に記載の装置。
【請求項４９】
前記動的階層拡張は、
動的階層拡張ログイベントハンドラであって、前記動的階層拡張のオペレーションに関する追跡情報と、前記動的階層拡張によって起こされた警告とを記録する動的階層拡張ログイベントハンドラ
をさらに含む請求項４７に記載の装置。
【請求項５０】
前記コンテキストエージェントは、前記選択された階層として同じホストマシーンに存在する
請求項２３に記載の装置。
【請求項５１】
前記動的階層拡張は、パフォーマンス、可用性、前記選択された階層からのエラーメタリックスを収集する
請求項３６に記載の装置。
【請求項５２】
複数の階層を含む多階層コンピューティング環境において、前記複数の階層の少なくとも選択され且つ監視された階層と関連付けられた、アプリケーションパフォーマンス管理のためのシステムであって、システムは、
少なくとも二つの前記監視された階層のそれぞれにとって、それぞれ動的階層拡張が、前記監視された階層の少なくともリクエストエントリーポートと結び付けられ、前記動的階層拡張が、前記それぞれ監視された階層を通過するリクエストトラフィックを少なくとも監視し、前記監視されたリクエストトラフィックが、前記リクエストエントリーポートで受信された少なくとも一つの開始リクエストを含み、
前記少なくとも二つの前記監視された階層のそれぞれにとって、それぞれコンテキストエージェントが、前記それぞれ動的階層拡張と結び付けられ、前記コンテキストエージェントが、前記それぞれ階層に直接結び付けられた階層と関連付けられた他の前記コンテキストエージェントと結び付けられ、前記それぞれコンテキストエージェントが、前記それぞれ動的階層拡張からリクエスト情報を受信し、前記リクエスト情報が、前記監視されたリクエストトラフィックに含まれる各リクエストを少なくとも確認し、前記それぞれコンテキストエージェントが、前記隣り合う階層と関連付けられた他のコンテキストエージェントから、前記少なくとも一つの開始リクエストと関連するコンテキスト情報をさらに受信し、前記少なくとも一つの開始リクエストのそれぞれにとって、前記それぞれコンテキストエージェントが、前記コンテキスト情報を、それぞれ、前記リクエスト情報と関連付ける
ことを含むことを特徴とするシステム。
【請求項５３】
複数の階層を含む多階層コンピューティング環境において、前記複数の階層の少なくとも選択され且つ監視された階層と関連付けられた、アプリケーションパフォーマンス管理のためのシステムであって、システムは、
少なくとも二つの前記監視された階層のそれぞれにとって、それぞれ動的階層拡張が、前記監視された階層の少なくともリクエストエントリーポート及びリクエストイグジットポートと結び付けられ、前記動的階層拡張が、前記それぞれ監視された階層を通過するリクエストトラフィックを少なくとも監視し、前記監視されたリクエストトラフィックが、前記リクエストエントリーポートで受信された少なくとも一つの開始リクエストと、前記リクエストイグジットポートでの少なくとも一つのそれぞれ終了リクエストとを含み、
前記少なくとも二つの前記監視された階層のそれぞれにとって、それぞれコンテキストエージェントが、前記それぞれ動的階層拡張と結び付けられ、前記コンテキストエージェントが、前記それぞれ階層に直接結び付けられた階層と関連付けられた他の前記コンテキストエージェントと結び付けられ、前記それぞれコンテキストエージェントが、前記それぞれ動的階層拡張からリクエスト情報を受信し、前記リクエスト情報が、前記監視されたリクエストトラフィックに含まれる各リクエストを少なくとも確認し、前記それぞれコンテキストエージェントが、前記それぞれ動的階層拡張から、前記少なくとも一つの開始リクエストのリクエストコンテキストと関連するコンテキスト情報を受信し、前記少なくとも一つの開始リクエストのそれぞれにとって、前記それぞれコンテキストエージェントが、前記少なくとも一つの開始リクエストを前記少なくとも一つの終了リクエストと関連付け、前記それぞれコンテキストエージェントが、前記少なくとも一つのそれぞれ終了リクエストのリクエストコンテキストと関連するコンテキスト情報を、前記隣り合う階層と関連付けられた他のコンテキストエージェントに提供する
ことを含むことを特徴とするシステム。
【請求項５４】
前記コンテキストエージェントと結び付けられたコンテキストネットワーク管理サーバ（ＣＮＭＳ）であって、前記ＣＮＭＳが前記コンテキストエージェントから受信したパフォーマンスデータを少なくとも収集し且つ解析する、そのようなコンテキストネットワーク管理エージェント
をさらに含む請求項５２又は５３に記載のシステム。
【請求項５５】
前記少なくとも一つの開始リクエストは、ユーザアプリケーションから受信したユーザリクエストである
請求項５２又は５３に記載のシステム。
【請求項５６】
前記動的階層拡張は、前記それぞれ階層の少なくともリクエストイグジットポートとさらに結び付けられ、前記監視されたリクエストトラフィックは、前記リクエストイグジットポートで受信された少なくとも一つの終了リクエストをさらに含み、前記選択された階層は、前記少なくとも一つの終了リクエストを前記コンピューティング環境の他の隣り合う階層に提供し、
前記それぞれコンテキストエージェントは、前記少なくとも一つの終了リクエストを前記少なくとも一つの開始リクエストと関連付け、前記少なくとも一つの終了リクエストのリクエストコンテキストと関連するコンテキスト情報を、前記他の隣り合う階層と関連付けられたさらなるコンテキストエージェントに送信する
請求項５２に記載のシステム。
【請求項５７】
前記ＣＮＭＳと結び付けられたポリシーデータベースであって、前記ポリシーデータベースが少なくともサービスクラスポリシーを保存する、そのようなポリシーデータベースをさらに含む
請求項５４に記載のシステム。
【請求項５８】
前記ＣＮＭＳ及び前記ポリシーデータベースと結び付けられたスーパバイザワークステーションをさらに含む
請求項５７に記載のシステム。
【請求項５９】
前記ＣＮＭＳは、アクティビティープロファイリングをさらに実行し、統合トランザクション、階層、システムレベルパフォーマンスメトリックス及び統計解析を含むアクティビティープロファイルを生成する
請求項５４に記載のシステム。
【請求項６０】
複数の階層を含む多階層コンピューティング環境において、前記複数の少なくとも選択され且つ監視された階層と関連付けられた、アプリケーションパフォーマンス管理のための方法であって、方法は、
少なくとも一つの開始リクエストのリクエストコンテキストと関連するコンテキスト情報を受信し、前記コンテキスト情報が少なくともリクエストＩＤ及びトランザクションＩＤを含み、
前記監視された階層を通過するリクエストトラフィックを監視し、前記監視されたリクエストトラフィックが前記少なくとも一つの開始リクエストを少なくとも含み、
前記リクエストＩＤに基づく前記少なくとも一つの開始リクエストを確認し、
前記少なくとも一つの開始リクエストを前記トランザクションＩＤに基づくトランザクションと関連付ける
という手順を含むことを特徴とする方法。
【請求項６１】
複数の階層を含む多階層コンピューティング環境において、前記複数の少なくとも選択され且つ監視された階層と関連付けられた、アプリケーションパフォーマンス管理のための方法であって、方法は、
前記監視された階層を通過するリクエストトラフィックを監視し、前記監視されたリクエストトラフィックが少なくとも一つの開始リクエスト及び少なくとも一つのそれぞれ終了リクエストを含み、前記選択された階層が前記少なくとも一つのそれぞれ終了リクエストを隣り合う階層に提供し、
前記少なくとも一つの開始リクエストのリクエストコンテキストと関連するコンテキスト情報を決定し、
前記監視されたリクエストトラフィックに含まれる各リクエストを確認し、
前記少なくとも一つの開始リクエストを前記少なくとも一つの終了リクエストと関連付け、
前記少なくとも一つの終了リクエストのリクエストコンテキストと関連するコンテキスト情報を、前記隣り合う階層と関連付けられた他のコンテキストエージェントに送信する
という手順を含むことを特徴とする方法。